(57)【要約】【課題】代替部品の選定、及び、化学物質含有率または含有量の確認を効率化する。【解決手段】含有化学物質確認支援システムは、装置を構成する部品間の関係に対応させて、部品が含有する化学物質の含有量の一覧表を作成し、化学物質が含有量閾値を超えて装置に含有されている場合、含有量一覧表の部品間の関係に基づいた化学物質の含有に関連する関連部品を代替する代替部品の一覧表を作成する代替部品一覧作成部、代替部品の一覧表を参照して、関連部品を代替する代替部品の組合せから、化学物質の含有量閾値以下の代替部品の組合せである候補一覧表を作成する候補一覧作成部、並びに、候補一覧表から、化学物質の含有量閾値以下の代替部品の組合せの候補を選択し、選択した前記候補を含有量一覧表に反映し、候補を反映した含有量一覧表を出力装置に出力する候補選択部を有する。【選択図】図１
2012150533.tif 000002
【特許請求の範囲】
【請求項１】
設計した装置を構成する部品間の関係を格納するリンク情報データベース、
法令により含有量が規制される化学物質、および、前記化学物質の含有が許容される量としての含有量閾値を格納する法令データベース、
少なくとも前記装置を構成する前記部品の部品番号、および、前記部品番号の部品の代替部品を含む部品群に付した代表部品番号を含む部品情報データベース、
前記部品番号に対応させて、前記部品が含有し、法令により含有量が規制される前記化学物質、および、前記部品が含有する前記化学物質の含有量を格納する含有化学物質情報データベース、
前記代表部品番号と、前記代表部品番号が付された前記部品群に含まれる前記部品および前記代替部品との対応関係を格納する代替部品マスタデータベース、
前記含有化学物質情報データベースを参照して、前記リンク情報データベースに格納されている前記部品間の関係に対応させて、前記装置を構成する前記部品が含有する前記化学物質の含有量の一覧表を作成し、作成した前記含有量一覧表を参照して、前記化学物質が前記含有量閾値を超えて前記装置に含有されている場合、前記代替部品マスタデータベースを参照して、前記含有量一覧表の前記部品間の関係に基づいた前記化学物質の含有に関連する関連部品を代替する代替部品の一覧表を作成する代替部品一覧作成部、
前記代替部品一覧作成部が作成した前記代替部品の一覧表を参照して、前記関連部品を代替する代替部品の組合せから、前記化学物質の前記含有量閾値以下の前記代替部品の組合せである候補一覧表を作成する候補一覧作成部、並びに、
前記候補一覧作成部作成した候補一覧表から、前記化学物質の前記含有量閾値以下の前記代替部品の組合せの候補を選択し、選択した前記候補を前記含有量一覧表に反映し、前記候補を反映した前記含有量一覧表を出力装置に出力する候補選択部を有することを特徴とする含有化学物質確認支援システム。
【請求項２】
前記部品番号に対応させて前記部品の価格を格納する購買マスタデータベースをさらに有し、
前記部品情報データベースは、さらに前記部品番号に対応させて前記部品の属性情報を格納し、
前記候補選択部は、前記部品の前記価格および前記属性情報の少なくとも一つを参照して、前記化学物質の前記含有量閾値以下の前記代替部品の組合せの候補を選択することを特徴とする請求項１記載の含有化学物質確認支援システム。
【請求項３】
前記候補選択部は、前記化学物質の前記含有量閾値以下の前記代替部品の組合せの候補が前記候補一覧表に無い場合、警告メッセージを前記出力装置に出力することを特徴とする請求項２記載の含有化学物質確認支援システム。
【発明の詳細な説明】
【技術分野】
【０００１】
本発明は、装置を構成する部品が含有している化学物質の確認を支援するシステムに関する。
【背景技術】
【０００２】
世界的な環境保護の観点から、欧州REACH規則に代表されるように、化学物質(有害物質)管理に対する規制が年々厳しさを増している。従来の規制が、指定された使用禁止物質の含有の有無を問うものが主であったのに対して、より具体的に、装置やその装置の部品を構成する化学物質の種類やその含有量の情報が求められるようになってきている。
【０００３】
このような要請に対応するために、特許文献１には、製品ごとに物質含有部品個数を集計する技術が開示されている。特許文献２には、製品を構成する部品の中から化学物質含有率または含有量を制限する規制等を遵守するための、対策すべき部品や化学物質の選定を支援する技術が開示されている。
【先行技術文献】
【特許文献】
【０００４】
【特許文献１】特開2007-226386号公報
【特許文献２】特開2010-79595号公報
【発明の概要】
【発明が解決しようとする課題】
【０００５】
特許文献１及び特許文献２に開示される技術では、化学物質含有率または含有量を制限する規制等を遵守するために、対策すべき部品やその個数を特定できる。しかし、対策すべき部品に対して、どのように対策するかについては考慮されていない。
【０００６】
対策すべき部品の化学物質含有率または含有量を変えることは一般に困難であり、対策すべき部品は代替部品に替えられなければならないが、代替部品の選定に当たっても、化学物質含有率または含有量を制限する規制等を遵守しなければならない。部品数の多い装置や化学物質を含有する部品を使用せざるを得ない装置の設計では、代替部品の選定及び化学物質含有率または含有量の確認のために多くの時間を費やすことになり、代替部品の選定及び確認の効率化が必要である。
【課題を解決するための手段】
【０００７】
開示される含有化学物質確認支援システムは、設計した装置を構成する部品間の関係を格納するリンク情報データベース、法令により含有量が規制される化学物質、および、含有が許容される量としての含有量閾値を格納する法令データベース、少なくとも装置を構成する部品の部品番号、および、部品番号の部品の代替部品を含む部品群に付した代表部品番号を含む部品情報データベース、部品番号に対応させて、部品が含有し、法令により含有量が規制される化学物質、および、部品が含有する前記化学物質の含有量を格納する含有化学物質情報データベース、並びに、代表部品番号と、代表部品番号が付された部品群に含まれる部品および代替部品との対応関係を格納する代替部品マスタデータベースを有する。
【０００８】
含有化学物質確認支援システムは、さらに、含有化学物質情報データベースを参照して、リンク情報データベースに格納されている部品間の関係に対応させて、装置を構成する部品が含有する化学物質の含有量の一覧表を作成し、作成した含有量一覧表を参照して、化学物質が含有量閾値を超えて装置に含有されている場合、代替部品マスタデータベースを参照して、含有量一覧表の部品間の関係に基づいた化学物質の含有に関連する関連部品を代替する代替部品の一覧表を作成する代替部品一覧作成部、
代替部品の一覧表を参照して、関連部品を代替する代替部品の組合せから、化学物質の含有量閾値以下の代替部品の組合せである候補一覧表を作成する候補一覧作成部、並びに、候補一覧作成部作成した候補一覧表から、化学物質の含有量閾値以下の代替部品の組合せの候補を選択し、選択した前記候補を含有量一覧表に反映し、候補を反映した含有量一覧表を出力装置に出力する候補選択部を有する。
【０００９】
含有化学物質確認支援システムの望ましい他の態様は、部品番号に対応させて部品の価格を格納する購買マスタデータベースをさらに有し、部品情報データベースは、さらに部品番号に対応させて部品の属性情報を格納し、候補選択部は、部品の価格および属性情報の少なくとも一つを参照して、代替部品の組合せの候補を選択する。
【００１０】
含有化学物質確認支援システムの望ましいさらに他の態様は、候補選択部は、代替部品の組合せの候補が候補一覧表に無い場合、警告メッセージを出力装置に出力する。
【発明の効果】
【００１１】
本発明によれば、代替部品の選定、及び、化学物質含有率または含有量の確認を効率化できる。
【図面の簡単な説明】
【００１２】
【図１】含有化学物質確認支援システムの構成例である。
【図２】装置の構成例である。
【図３】リンク情報データベースの例である。
【図４】法令データベースの例である。
【図５】部品情報データベースの例である。
【図６】含有化学物質情報データベースの例である。
【図７】代替部品マスタデータベースの例である。
【図８】購買マスタデータベースの例である。
【図９】支援処理部のフローチャートである。
【図１０Ａ】含有量一覧表の一例である。
【図１０Ｂ】含有量一覧表の一例である。
【図１１】代替部品の一覧表の一例である。
【発明を実施するための最良の形態】
【００１３】
図１に、含有化学物質確認支援システム１０の構成例を示す。含有化学物質確認支援システム１０は、ＣＰＵ１１、メモリ１２、記憶装置１３、入力装置１４、出力装置１５、通信インタフェイス１６などを含む。記憶装置１３には、支援処理部２０のプログラムが格納され、支援処理部２０のプログラムがメモリ１２に読み出され、ＣＰＵ１１により実行される。支援処理部２０は、代替部品一覧作成部２１、候補一覧作成部２２、及び候補選択部２３の各処理部を含み、後述するように、これらの処理部は支援処理部２０の一連の処理として実行される。
【００１４】
記憶装置１３には、支援処理部２０が用いるリンク情報データベース３００、含有化学物質法令情報データベース４００（以下、法令データベース４００）、部品情報データベース５００、含有化学物質情報データベース６００、代替品マスタデータベース７００、購買マスタデータベース８００を格納している。メモリ１２には、支援処理部２０のプログラムと共に、支援処理部２０が作成する各種一覧表などを格納する。通信インターフェイス１６は、他のコンピュータに構成される部品の購買システムや装置の設計支援システムなどとの間の通信に用いられる。
【００１５】
実施形態の説明を分かり易くするために、設計した装置とその装置に係る含有化学物質に関する各種法令の前提を説明する。図２に、設計した装置の構成例を示す。設計した装置A-001-1は、その構成部品として部品番号A-002-1、A-005-1などを含む。さらに、部品A-002-1は、その構成部品として部品番号A-003-1を３個と部品番号A-004-1を２個含む。また、部品A-005-1は、その構成部品として部品番号A-006-1を含む。このような装置を構成する部品間の関係（階層関係または包含関係）を、装置そのものも最上位の部品として扱い、リンク情報データベースに格納する。
【００１６】
図３に、図２の装置に対応するリンク情報データベース３００の例を示す。リンク情報データベース３００は、図２の装置構成において包含される（装置としては、搭載される）部品の部品番号３０１に対応して、その親部品番号（図２において、包含する部品の部品番号）３０２、及び、部品番号３０１の部品の員数３０３を含む。
【００１７】
図２の装置構成、図３のリンク情報データベース３００、及びそれらの説明から明らかなように、少なくとも以下に説明する情報処理上は、装置そのものも部品として扱うことができる。
【００１８】
図４に、部品A-001-1に係る、法令データベース４００の例を示す。法令データベース４００は、法令コード４０１、法令名称４０２、法令により含有量が規制される化学物質名称４０３、および、部品A-001-1に含有が許容される量として含有量閾値４０４を含む。図４では、鉛、水銀、カドミウムなどのそれぞれに関して、部品A-001-1に含有が許容される量として含有量閾値４０４を示している。部品A-001-1全体として、法令データベース４００に示される各化学物質の含有量閾値４０４のすべてを下回っている場合、部品A-001-1は含有化学物質に係る法令を遵守していると言える。
【００１９】
以上の前提の下で、部品A-001-1は含有化学物質に係る法令を遵守できていない場合を例に、以下を説明する。部品A-001-1を設計するに当っては、部品A-001-1またはその代替部品を構成するために必要と考えられ、かつ使用可能な部品の属性情報などを含む部品情報データベースが予め用意される。
【００２０】
図５に、部品情報データベース５００の例を示す。部品情報データベース５００は、部品番号５０１、部品名５０２、部品種別５０３、部品番号５０１の部品の代替部品を含む部品群に付した代表部品番号５０４、部品質量５０５、および、部品体積５０６を含む。
【００２１】
図６に、含有化学物質情報データベース６００の例を示す。含有化学物質情報データベース６００は、部品番号６０１、部品番号６０１の部品が含有する化学物質名称６０２、その化学物質の含有量６０３を含む。図６の含有化学物質情報データベース６００は、部品番号６０１に対応させたレコードを有するデータベースであるので、部品情報データベース５００の部品番号５０１対応に、化学物質名称６０２、含有量６０３の欄を追加したデータベースの構成としても良い。一般に、装置を構成する部品の多くは、法規制がある化学物質を含んでいない。電子部品には法規制がある化学物質を含んでいるものがあるが、シャーシやボルト・ナットなどの機構部品には法規制がある化学物質を含んでいるものが少ない。したがって、部品情報データベース５００から独立して含有化学物質情報データベース６００を設けた方が、全体として容量を少なくできる。
【００２２】
図７に、代替部品マスタデータベース７００の例を示す。代替部品マスタデータベース７００は、相互に代替できる部品をグループ化し、そのグループに付した代表部品番号７０１と、そのグループに属する部品の部品番号７０２を含む。図７では、たとえば、部品番号７０２として部品A-001-1、A-001-2、A-001-3、および、A-001-4が相互に代替でき、これらをグループとして代表部品番号７０１としてA-001を付与している。
【００２３】
図８に、購買マスタデータベース８００の例を示す。購買マスタデータベース８００は、部品番号８０１、取引先名８０２、購買価格８０３を含む。使用する各部品の価格は製品原価に直接反映されるので、購買マスタデータベース８００にある価格は、各部品の属性情報の一つとして設計の指標として用いられる。
【００２４】
部品の含有化学物質の含有量が法規制値以下であることを絶対条件として、この条件が満たした上で、部品の特性に応じて設計する。たとえば、軽量化を重視する場合は、部品情報データベース５００の部品質量５０５を参照し、小型化を重視する場合は、部品情報データベース５００の部品体積５０６を参照し、低価格化を重視する場合は、購買マスタデータベース８００の購買価格８０３を参照して設計する。購買価格８０３も各部品に関する属性情報の一つであるので、部品情報データベース５００の部品番号５０１に対応付けて取引先名８０２、購買価格８０３を格納するデータベースとしても良いが、一般に部品情報データベース５００と購買マスタデータベース８００との情報を格納する担当部署が異なるので、異なるデータベースとして構築される。
【００２５】
含有化学物質確認支援システム１０の支援処理部２０のフローチャートを図９に示す。支援処理部２０は、以下に説明するステップ９００〜ステップ９２０の代替部品一覧作成部２１、ステップ９２５〜ステップ９４０の候補一覧作成部２２、及び、ステップ９４５〜ステップ９６５の候補選択部２３を一連の処理として実行する。
【００２６】
支援処理部２０の代替部品一覧作成部２１は、規制対象化学物質の含有量一覧表をメモリ１２に作成する(ステップ９００)。図１０Ａに、含有量一覧表１０００の一例を示す。含有量一覧表１０００は、行方向に部品１００１、列方向に規制対象の化学物質１００２をその規制値と共に示す。行方向の部品１００１は、リンク情報データベース３００を参照して、図１に示した部品間の関係（包含関係または階層関係）が分かるように示してある。なお部品名称の末尾のカッコ内は、リンク情報データベース３００の員数３０３の値である。列方向の部品１００１の部品間の階層関係において、最下層の部品に規制対象の化学物質が含まれるならば、上位層の部品にも、その含有量を規制対象の化学物質に対応させて格納する。たとえば、図１０Ａでは、最下層の部品A-006-1に鉛0.1mgが含まれるので、その上位層の部品A-005-1及びさらにその上位層の部品A-001-1にも鉛0.1mgが含まれるように含有量一覧表１０００を作成する。
【００２７】
代替部品一覧作成部２１は、規制対象化学物質の含有量一覧表１０００を参照して、最上位の部品に規制対象の化学物質（法令データベース４００の化学物質名称４０３）が含まれているか否かを判定する(ステップ９０５)。この判定は、規制対象化学物質が複数種類ある場合、それらを順次判定し、規制対象の化学物質が含まれている場合はステップ９１０に移り、後述するステップ９１０またはステップ９２０から処理が戻ってきたときに、残りの規制対象化学物質に関して順次判定する。したがって、最上位の部品に規制対象の化学物質が含まれていない場合、及び、含まれている規制対象の化学物質のすべてに関してステップ９１０又はステップ９１０〜ステップ９２０の処理を実行した場合、ステップ９２５に移る。
【００２８】
代替部品一覧作成部２１は、最上位の部品に規制対象の化学物質が含まれている場合、その化学物質の含有量は規制値（法令データベース４００の含有量閾値４０３）の以下かを判定する(ステップ９１０)。以下であれば、ステップ９０５に戻る。なお、規制対象の化学物質によっては、「以下」ではなく「未満」により規制値が示されることがあるが、その場合は「未満」により判定する。したがって、示される規制値に対応して「以下」を「未満」に読み替える。
【００２９】
代替部品一覧作成部２１は、最上位の部品に規制対象の化学物質が規制値を超えて含まれている場合、関連部品を特定する（ステップ９１５）。関連部品とは、最上位の部品に規制値を超えて含まれている化学物質を含む部品である。ある最下位層の部品に、その化学物質が含まれているならば、その最下位層の部品及びその最下位層の部品を包含する関係の上位層の部品が関連部品である。図１０Ａに示す含有量一覧表１０００の例では、最下層の部品A-006-1に鉛0.1mgが含まれるので、部品A-006-1、並びに、部品A-006-1を包含する関係の上位層の部品A-005-1及びさらに上位層の部品A-001-1が関連部品である。
【００３０】
代替部品一覧作成部２１は、関連部品の各々に関して、代替品マスタデータベース７００を参照して、代替部品の一覧表をメモリ１２に作成する（ステップ９２０）。図１１に、代替部品の一覧表１１００の一例を示す。代替部品の一覧表１１００は、行方向に、ステップ９１５で特定した関連部品及びその代替部品である部品１１０１、列方向に規制対象の化学物質１１０２をその規制値と共に示す。図１１に示す例では、関連部品A-001-1の代替部品として、代替品マスタデータベース７００に格納されている部品A-001-2、A-001-3、・・・が一覧表１１００に格納される。一覧表１１００に示す最下位層の部品に関して、規制対象の化学物質が含まれているいるならば、その含有量を一覧表１１００の化学物質１１０２に対応させて格納する。たとえば、図１１では、関連部品A-005-1の代替部品である部品A-005-2に含まれる部品A-006-3に水銀0.05mgが含まれていることを示している。代替部品の一覧表１１００を作成後、ステップ９０５へ戻る。
【００３１】
支援処理部２０の候補一覧作成部２２は、ステップ９０５において、規制対象化学物質に関して順次判定が終了したならば、代替部品の一覧表１１００を参照して、代替部品の組合せ一覧表をメモリ１２に作成する（ステップ９２５）。一つの代替部品も組合せの一つとする。図１１の一覧表１１００からは、たとえば部品A-005-1又は部品A-005-2に含まれる部品A-006-1、部品A-006-2、部品A-006-3が組合せとして一覧表に格納される。複数部品の組合せは、互いに独立して選択可能な複数の部品である。たとえば、図２に示す例では、部品A-005-1又は部品A-005-2に含まれる部品と部品A-002-1に含まれる部品は、互いに独立して選択可能な部品である。
【００３２】
候補一覧作成部２２は、作成した代替部品の組合せ一覧表の組合せを順次選択し（ステップ９３０）、終了したならば、ステップ９４５へ移る。候補一覧作成部２２は、選択した組合せの部品は、規制対象化学物質の規制値を満足するかを判定する(ステップ９３５)。満足しないならば、ステップ９３０に戻り、次の組合せを選択する。満足するならば、候補一覧作成部２２は、その組合せをメモリ１２上の候補一覧表に追加する(ステップ９４０)。前述の複数部品の組合せの場合は、それら複数部品の含有量の総計が規制対象化学物質の規制値を満足するかを判定する。
【００３３】
ステップ９３０及びステップ９３５は、規制対象化学物質の規制値を満足する部品の組合せを候補一覧表に追加するが、逆に、規制対象化学物質の規制値を満足しない部品の組合せを代替部品の組合せ一覧表から削除しても良い。この場合、全ての組合せに関してチェックが終了した後の組合せ一覧表は候補一覧表になっている。
【００３４】
支援処理部２０の候補選択部２３は、作成した候補一覧表に、規制対象化学物質の規制値を満足する部品の組合せの候補があるかを判定する（ステップ９４５）。無いならば、候補選択部２３は、設計変更を要する旨の警告メッセージをディスプレイなどの出力装置15に出力し（ステップ９５０）、処理を終了する。設計変更とは、部品情報データベース５００にない新たな部品選定や、図２に示す装置の構成を変更することなどである。
【００３５】
規制対象化学物質の規制値を満足する部品の組合せの候補があるならば、候補選択部２３は、候補は複数あるかを判定する(ステップ９５５)。候補が一つの場合は、その候補を選択し、ステップ９６５に移る。
【００３６】
候補が複数ある場合は、候補選択部２３は、候補を選択する(ステップ９６０)。部品（装置）に対する設計の考え方（設計ポリシー）に応じて、規制対象化学物質の規制値を満足する部品の組合せの候補を選択する。候補の選択に当っては、規制対象化学物質の含有量又は含有率が最も少ないものを選択しても良いが、前述したように、軽量化を重視する場合は、部品情報データベース５００の部品質量５０５を参照し、最軽量の部品の組合せを選択し、小型化を重視する場合は、部品情報データベース５００の部品体積５０６を参照し、最小体積の部品の組合せを選択し、低価格化を重視する場合は、購買マスタデータベース８００の購買価格８０３を参照し、最低価格の部品の組合せを選択する。なお、これらの属性の判定に順序を設け、たとえば、軽量化、小型化、低価格化の順に候補が一つになるまで絞り込む。最終的に候補を一つに絞り込めない場合は、残った複数の候補を出力装置15に出力し、設計者に選択させる。
【００３７】
候補選択部２３は、規制対象化学物質の規制値を満足する部品の組合せの候補から選択した候補を、図１０Ａに示した含有量一覧表１０００に反映し(ステップ９６５)、処理を終了する。含有量一覧表１０００に選択した候補を反映した結果の一例を図１０Ｂに示す。図１０Ｂは、図１０Ａに示す部品A-006-1を、その代替部品である部品A-006-2に置き換えた含有量一覧表１０００になっている。必要に応じて、含有量一覧表１０００を出力装置15に出力し、設計者が代替部品を確認できるようにする。
【００３８】
本実施形態によれば、代替部品の選定、及び、化学物質含有率または含有量の確認を効率化できる。
【符号の説明】
【００３９】
１０：含有化学物質確認支援システム、１１：ＣＰＵ、１２：メモリ、１３：記憶装置、１４：入力装置、１５：出力装置、１６：通信インタフェイス、２０：支援処理部、２１：代替部品一覧作成部、２２：候補一覧作成部、２３：候補選択部、３００：リンク情報データベース、４００：法令データベース、５００：部品情報データベース、６００：含有化学物質情報データベース、７００：代替品マスタデータベース、８００：購買マスタデータベース。
【図１】
2012150533.tif 000003
【図２】
2012150533.tif 000004
【図３】
2012150533.tif 000005
【図４】
2012150533.tif 000006
【図５】
2012150533.tif 000007
【図６】
2012150533.tif 000008
【図７】
2012150533.tif 000009
【図８】
2012150533.tif 000010
【図９】
2012150533.tif 000011
【図１０Ａ】
2012150533.tif 000012
【図１０Ｂ】
2012150533.tif 000013
【図１１】
2012150533.tif 000014